(57)【要約】【課題】  自転車で走行中、携行している傘を邪魔にならないよう自転車にしっかりと固定しておくことができ、その傘を雨除けや日除けとして利用する場合には、片手運転しなくてよいように、雨除けや日除け可能な状態で自転車に固定する。【解決手段】  支持棒２を先端が上を向いた状態で自転車ハンドル１０に固定し、支持棒２の先には、傘の把持部を挟持固定可能な第一のホルダ１を設ける。常備用の傘１２は、前記ブラケット３に取り付けられた第二のホルダ４と、自転車フォーク１１に固定された第三のホルダ５とによって支持される。【選択図】図２
2005324751.tif 000002
【特許請求の範囲】
【請求項１】
自転車ハンドルに対して支持棒を先端が上を向いた姿勢にて固定可能なブラケットと、前記支持棒の先端に設けられた第一のホルダと、前記ブラケットに取り付けられた第二のホルダと、自転車フォークの脇に固定される第三のホルダとを有し、第一のホルダは、傘の把持部を挟持し、開いた傘をほぼ垂直姿勢にて支持可能な挟持機構を備え、第二のホルダは、固定側の半割リングに対して可動側半割リングを片開き可能に枢着し、それら半割リングの組み合わせにより形成されたリング内で傘の柄部分を保持可能な保持機構を備え、第三のホルダは、下端が解放された下細り筒形状で、閉じられた傘の先端部分を挿通可能な挿通機構を備えた自転車用傘支持具。
【請求項２】
ブラケットに、ねじ止め部を備えた半円形の受け部材で自転車ハンドルを挟み込み固定するクランパを設け、そのクランパのねじ止め部をねじ止するボルトを利用して第二のホルダがブラケットに取り付けられている請求項１に記載の自転車用傘支持具。
【請求項３】
第二のホルダは、自転車ハンドルにブラケットが固定された状態にて、自転車ハンドルの後方に位置される請求項１又は２に記載の自転車用傘支持具。
【発明の詳細な説明】
【技術分野】
【０００１】
本発明は、自転車に傘を常備しておくと共に、その常備しておいた傘を雨除けや日除け用として好適利用可能な自転車用傘支持具に関する。
【背景技術】
【０００２】
雨降りに自転車で走行する際、濡れないためには雨合羽を着用するか傘をさして片手運転することになるが、不意に降り出した雨に対しては、雨具の用意をしていないことが多い。
又、日差しが強い時にも傘をさして走行する姿をよく見掛けるが、不安定な片手運転は好ましくない。
そこで出願人は、開いた傘を自転車ハンドルに固定し、片手運転しなくてもいいように、特許文献１に記載のような傘支持具を提案し、今日まで大勢の人から絶賛されている。
しかし曇天時には傘をさすことはほとんどないので、携帯している傘は、自転車ハンドルに引っ掛けてぶら下げたり、泥除けと自転車フォークとの間に挟み込み、後輪の脇の沿わせて配置するなどしているが、自転車ハンドルに引っ掛けただけであると、不安定で落っこちたり、ぶらぶらしてペダルをこぐ足の動きを邪魔したりするし、挟み込んだだけであると、ずり落ちて先端で路面を擦ってしまう虞れがある。
又、そのような不具合を解消するために、例えば特許文献２に記載のように、クリップでパイプフレームに沿って固定し、携行用の傘支持具も提案されている。
【０００３】
【特許文献１】実開平７−２８７９２号公報
【特許文献２】特開平１０−９５３７７号公報
【発明の開示】
【発明が解決しようとする課題】
【０００４】
単に傘を携行するだけであれば、特許文献２に記載の傘支持具のみが装備されていれば十分であるが、走行中に傘をさそうとすれば、片手運転は避けられない。
二種類の傘支持具を装備すれば問題は解決されるものの、２つの傘支持具を個々に取り付けるとなると、邪魔になることが多いし、不経済である。
【課題を解決するための手段】
【０００５】
本発明は、傘を携行するのに好適な自転車用傘支持具であって、その構成は、自転車ハンドルに対して支持棒を先端が上を向いた姿勢にて固定可能なブラケットと、前記支持棒の先端に設けられた第一のホルダと、前記ブラケットに取り付けられた第二のホルダと、自転車フォークの脇に固定される第三のホルダとを有し、第一のホルダは、傘の把持部を挟持し、開いた傘をほぼ垂直姿勢にて支持可能な挟持機構を備え、第二のホルダは、固定側の半割リングに対して可動側半割リングを片開き可能に枢着し、それら半割リングの組み合わせにより形成されたリングで傘の柄部分を保持可能な保持機構を備え、第三のホルダは、下端が解放された下細り筒形状で、閉じられた傘の先端部分を挿通可能な挿通機構を備えたことにある。
【０００６】
前記ブラケットに、ねじ止め部を備えた半円形の受け部材で自転車ハンドルを挟み込み固定するクランパを設け、そのクランパのねじ止め部をねじ止するボルトを利用して第２のホルダをブラケットに取り付けることができる。
そして第二のホルダは、自転車ハンドルにブラケットが固定された状態にて、自転車ハンドルの後方に位置されることが望ましい。
【発明の効果】
【０００７】
閉じた傘は、走行の邪魔になりにくい位置に常備しておくことができ、使用する際には、開いた状態にて雨除け（日除け）可能な姿勢で固定できるので、傘を携行していることをほとんど意識せず、快適な走行が約束される。
【０００８】
そして、第二のホルダをブラケットに取り付けたので、ブラケットを固定することによって、第一と第二のホルダとの取り付けが完了される。
又、ブラケットにクランパを設け、そのクランパのねじ止め部をねじ止めするボルトを利用して第二のホルダをブラケットに取り付けるようにすれば、部品点数の削減となる。
【発明を実施するための最良の形態】
【０００９】
本発明に係る自転車用傘支持具（以下単に傘支持具とのみ称する）の実施一例を図面に基づいて説明する。
図１は傘支持具を示したもので、この傘支持具は三つのホルダを備えており、第一のホルダ１は、支持棒２の先端に前後へ首振り自在、且つ適宜角度で固定可能に設けられ、その下にはブラケット３が支持棒１に沿って移動自在且つ所望位置にて固定可能に取り付けられている。
第二のホルダ４は前記ブラケット３に取り付けられており、第三のホルダ５は、それらとは別体となっている
【００１０】
第一のホルダ１は、一対の挟持板１ａ、１ｂがカスタネット状に片側をヒンジ結合されていて、カム（図示せず）をレバー６の回動操作により、バネ力によって開こうとする前記挟持板１ａ，１ｂを閉じて傘の把持部を挟持する周知の挟持機構を備えている。
【００１１】
ブラケット３は、基端部に貫通穴を有し、その基端部から前方斜め下へ二股に分かれて突出されたアーム３ａ，３ａの各先にはクランパ７，７がそれぞれ設けられていて、それらクランパ７，７で自転車ハンドルに固定し、前記貫通穴に挿通した支持棒２を、自転車ハンドルの後方位置にて、先端が上を向いた姿勢で支持することができる。
貫通穴の側部には締着ねじのつまみ８が取り付けられており、その締着ねじのつまみ８を緩めたり締めたりすることにより、ブラケット３と支持棒２とを相対的に移動させたり固定することが可能になっている。
又クランパ７，７は、両サイドにねじ止め部を備えた半円形の受け部材で自転車ハンドルを挟み込み固定するようになっている。
【００１２】
第二のホルダ４は、前記ブラケット３における片側のクランパ７に、自転車ハンドルにブラケットが固定された状態にて、自転車ハンドルの後方に位置するよう、前記クランパ７をねじ止めするボルト７ａを利用して取り付けられており、固定側の半割リング４ａに対して可動側の半割リング４ｂを片開き可能に枢着し、それら固定側と可動側との半割リング４ａ，４ｂを組み合わせて形成されるリング部で傘の柄部分を保持可能な保持機構を備えている。
【００１３】
第三のホルダ５は、下端が解放された下細り筒形状で、閉じられた傘の先端部分を挿通可能な挿通機構を備えており、側面には、自転車フォークへ固定するための固定部材９が付設されている。
【００１４】
このように形成された傘支持具は、図２及び図３に示すように、自転車ハンドル１０と自転車フォーク１１とに取り付けておくことができ、傘１２をさして走行したいときには、挟持板１ａ、１ｂ間に傘１２の把持部をあてがい、レバー６の操作で強く挟み込み操作して、図２に示すように第一のホルダ１で支持しておけるので、傘を持って片手運転する必要はない。
【００１５】
又、傘をささないで走行したり、駐輪させておく場合は、図３に示すように、第３のホルダ５に閉じた傘１２の先端部分を差し込み、柄の部分は可動側半割りリングを開いた第２のホルダ４に導入して可動側の半割りリング４ｂを閉じることによって、傘１２を第二のホルダ４と第三のホルダ５とによってしっかりと固定させておくことができる。
更に、すべてのホルダが自転車ハンドルの後方に位置することにより、携行している傘を第二及び第三のホルダから取り外したり、その取り外した傘を第一のホルダにて支持する際の作業性に優れる。
【００１６】
自転車ハンドルの前に買い物かごを備えた自転車では、前記実施例のように第一のホルダと第二のホルダとが自転車ハンドルの後側に配置されるよう取り付けるが、買い物かごを備えない自転車では、支持棒が自転車ハンドルの手前に配置されるよう前後逆向きの取り付けることもできる。
又、第二のホルダは、左右どちらのクランプに取り付けても差し支えなく、左のクランプに取り付けた場合、第３のホルダはフォークの左側に取り付けられる。
【００１７】
尚、第一のホルダに備えられる挟持機構、その他各機構の具体的な形態は実施例に限定されるものでない。
【図面の簡単な説明】
【００１８】
【図１】本発明に係る傘支持具の説明図である。
【図２】走行時の使用状態を示した説明図である。
【図３】携行時の使用状態を示した説明図である。
【符号の説明】
【００１９】
１・・第一のホルダ、１ａ．１ｂ・・挟持板、２・・支持棒、３・・ブラケット、４・・第二のホルダ、４ａ，４ｂ・・半割リング、５・・第三のホルダ、６・・レバー、７・・クランパ、７ａ・・ボルト、８・・締着ねじのつまみ、９・・固定部材、１０・・自転車ハンドル、１１・・自転車フォーク、１２・・傘。
【図１】
2005324751.tif 000003
【図２】
2005324751.tif 000004
【図３】
2005324751.tif 000005